(57)【特許請求の範囲】
【請求項１】
基材上に機密情報データと易剥離層が施され、その上に前記機密情報データを覆うようにして隠蔽するスクラッチ隠蔽層が施されているスクラッチ隠蔽層付情報媒体において、前記機密情報データを構成する各文字または各図形の一つ一つが、通常の印刷色インキ層上の易剥離層の領域と厚さ１〜３．５μｍの易剥離層の非画線部に押し込まれているスクラッチ隠蔽層の領域に分割された線画パターンとでなることを特徴とするスクラッチ隠蔽層付情報媒体。
【請求項２】
前記通常の印刷色インキ層は、オフセット、凸版、グラビア印刷用インキでなる請求項１記載のスクラッチ隠蔽層付情報媒体。
【発明の詳細な説明】
【０００１】
【発明の属する技術分野】
本発明は、抽選券やゲームカード等の如く機密情報データをスクラッチ隠蔽層で隠蔽してあるスクラッチ隠蔽層付情報媒体に関するものであり、さらに詳しくは、スクラッチ隠蔽層をコイン等でスクラッチオフ（引っ掻き落とし）して機密情報データを認識するスクラッチ隠蔽層付情報媒体に関する。
【０００２】
【従来の技術】
従来、例えば、インスタント抽選券やゲーム用のカードなどにおいて、「当たり」、「外れ」あるいはそれに該当する絵柄などの機密情報データを隠蔽するために、隠蔽性とスクラッチ性（引っ掻き易さ性）を有するインキによりその機密情報データを隠蔽し、購入した顧客がその使用に際し、コイン等でスクラッチオフして機密情報データを視認するスクラッチ印刷物が知られ、種々の分野で利用されている。
【０００３】
上記のスクラッチ隠蔽層が施された印刷物として、例えば図２の積層断面で表した模式図に示すように、用紙などでなる基材（１０）の上に絵柄、文字、数字などの機密情報データ（１２）が印刷されていて、その機密情報データ（１２）を覆うように透明な剥離ニスなどによる易剥離層（１４）が形成され、その易剥離層（１４）の上にスクラッチ隠蔽層（２０）が施されているものであり、このスクラッチ印刷物を購入した顧客がコインや爪等でスクラッチ隠蔽層（２０）をスクラッチオフ（引っ掻き落とすこと）して、「当たり」、「外れ」など、あるいはそれに該当する絵柄などの機密情報データ（１２）を目視で認識できるようになっている。
【０００４】
【発明が解決しようとする課題】
しかしながら、例えば基材（１０）が比較的薄い用紙の場合などでは、この印刷物に強い光を当てて、その反対面から透かして見ると、機密情報データ（１２）の陰影が透けて見えて機密情報データとならないという問題があり、この問題を解決する方法として、例えば図３の模式的積層断面図に示すように、基材（１０）の裏面にグレー系のインキによる印刷等で透かし防止層（２４）を設けたり、あるいはスクラッチ隠蔽層（２０）を２度刷り等で厚くするなどの方法で補っていた。あるいは基材（１０）が高価になったり、印刷やその加工等がし難い（生産効率が悪くなる）ことを承知のうえで厚い紙を使用してこの透けて見える問題を解決していた。
【０００５】
このように強い光を当てても機密情報データ（１２）の陰影が透けて見えないようにするための上記いずれの対策においても、基材（１０）、インキ等の材料や印刷等の工程が増えるという問題、いわゆる製造コストが嵩むという問題点があった。
【０００６】
さらにまた、印刷中にそのオペレーター等にも機密情報データの内容が視認されるという危惧のあるものであった。
【０００７】
本発明は、かかる従来技術の問題点を解決するものであり、その課題とするところは、強い光を与えても機密情報データの陰影が視認できないスクラッチ隠蔽層付情報媒体で、従来のように透かし防止層を施したり、スクラッチ隠蔽層を２度刷りなどをしたり、あるいは高価で印刷や加工等がし難い厚い紙を用いたりして製造コストが嵩むという問題点がなく、さらに印刷中などにおいてそのオペレーター等にも機密情報データが認識できないスクラッチ隠蔽層付情報媒体を提供することにある。
【０００８】
【課題を解決するための手段】
本発明に於いて、上記課題を達成するために、まず請求項１の発明では、基材上に機密情報データと易剥離層が施され、その上に前記機密情報データを覆うようにして隠蔽するスクラッチ隠蔽層が施されているスクラッチ隠蔽層付情報媒体において、前記機密情報データを構成する各文字または各図形の一つ一つが、通常の印刷色インキ層上の易剥離層の領域と厚さ１〜３．５μｍの易剥離層の非画線部に押し込まれているスクラッチ隠蔽層の領域に分割された線画パターンとでなることを特徴とするスクラッチ隠蔽層付情報媒としたものである。
【０００９】
また、請求項２の発明では、前記通常の印刷色インキ層は、オフセット、凸版、グラビア印刷用インキでなる請求項１記載のスクラッチ隠蔽層付情報媒体としたものである。
【００１０】
上記請求項１または２の発明によれば、機密情報データは、オフセット等通常の印刷色インキ層と、１〜３．５μｍの薄い易剥離層の非画線部に押し込まれたスクラッチ隠蔽層とが合わされて形成されているので、例えば薄い基材の場合、裏面から強い光を与えて透かしてみると、機密情報データを形成している通常の印刷色インキ層のみが見え、薄い易剥離層の非画線部に押し込まれて一体となっているスクラッチ隠蔽層でなる線画パターンの部分は見えない（視認できない）ので、正確な機密情報データとして認識するのが困難であり、さらに印刷中などにおけるオペレーター等にも分割されて機密情報データの一部である通常の印刷色インキ層のみしか視認できないので、セキュリテイ面で有効なスクラッチ隠蔽層付情報媒体とすることができる。従って、従来のように基材を厚くしたり、裏面に透かし防止層を設けたりあるいはスクラッチ隠蔽層を２度刷りなどで得たりする必要のない、即ち製造コストの嵩まないスクラッチ隠蔽層付情報媒体とすることができる。
【００１１】
上記でいう線画パターンとは、画線・図形などに階調・濃淡のない黒白のみの原図（パターン）のことである。但し階調を網点（シャドウ部はグラビア版の様にセルで形成されているもの）で再現するものは、この線画に該当するものとする。
【００１２】
【発明の実施の形態】
以下本発明の実施の形態を図面を用いながら説明する。
本発明は、図１（ａ）の積層断面で表した模式図に示すように、機密情報データ（１２）をスクラッチ隠蔽層（２０）で隠蔽してあるスクラッチ隠蔽層付情報媒体（１）に関するものであり、さらに詳しくは、例えばこのスクラッチ隠蔽層付情報媒体（１）を購入した顧客がコイン等でこのスクラッチ隠蔽層（２０）をスクラッチオフして機密情報データ（１２）を認識するスクラッチ隠蔽層付情報媒体（１）に関するものである。
【００１３】
上記本発明のスクラッチ隠蔽層付情報媒体（１）は、図１（ａ）の積層断面模式図に示すように、例えば紙でなる基材（１０）の表面に通常の印刷色インキ層（２２）とそれを覆うように厚さ（Ｄ）が１〜３．５μｍと薄い易剥離層（１４）が施されていて、その易剥離層（１４）には、非画線部（１４ｂ）を有し、この易剥離層（１４）の上にスクラッチ隠蔽層（２０）が施され、かつこの易剥離層（１４）の非画線部（１４ｂ）に押し込まれているスクラッチ隠蔽層（２０ａ）で構成されているスクラッチ隠蔽層付情報媒体（１）であり、図１（ｂ）の拡大平面図に示すように、例えばこの通常の印刷色インキ層（２２）と易剥離層（１４）の非画線部（１４ｂ）に押し込まれているスクラッチ隠蔽層（２０ａ）とが合わされて「Ｔ」の字となる機密情報データ（１２）を形成するように構成されているスクラッチ隠蔽層付情報媒体（１）である。
【００１４】
上記のスクラッチ隠蔽層付情報媒体（１）のように、機密情報データ（１２）が、図１（ｂ）に示すように、通常の印刷色インキ層（２２）と易剥離層（１４）の非画線部（１４ｂ）に押し込まれているスクラッチ隠蔽層（２０ａ）とが合わされて機密情報データ（１２）を形成するように構成されているので、例えばこのスクラッチ隠蔽層付情報媒体（１）を購入した顧客がコインでこのスクラッチ隠蔽層をスクラッチオフすると、図１（ｂ）の平面図およびそのＢ−Ｂ面断面図として、図１（ｃ）の右半分に示すように、この易剥離層（１４）の非画線部（１４ｂ）に押し込まれているスクラッチ隠蔽層（２０ａ）のみが残って、その残ったスクラッチ隠蔽層（２０ａ）と通常の印刷色インキ層（２２）とが合わされてで機密情報データ（１２）として鮮明に認識されるようになるスクラッチ隠蔽層付情報媒体（１）とするものである。
【００１５】
また本発明のスクラッチ隠蔽層付情報媒体（１）の機密情報データ（１２）の一部を形成する通常の印刷色インキ層（２２）は、オフセット、凸版、グラビア印刷用のプロセスインキおよび特色インキで、それぞれの印刷法で形成されるものである。
【００１６】
上記のように、本発明のスクラッチ隠蔽層付情報媒体（１）によれば、図１（ｂ）に示すように、機密情報機密データ（１２）は、オフセット等通常の印刷色インキ層（２２）と、易剥離層（１４）の非画線部（１４ｂ）に押し込まれたスクラッチ隠蔽層（２０ａ）とが合わされて形成されているので、例えば裏面から強い光を与えて透かしてみても、機密情報データのうち、薄い易剥離層（１４）の非画線部（１４ｂ）に押し込まれて一体となっているスクラッチ隠蔽層（２０ａ）の部分はパターンとしては視認できず、通常の印刷色インキ層（２２）のみが視認され、この通常の印刷色インキ層（２２）は機密情報データ（１２）の一部を形成しているので、正確な機密情報データ（１２）として認識することが困難なものとなる。さらに印刷中などにおいて、そのオペレーター等にも、機密情報データ（１２）が分割されて、その一部を形成している通常の印刷色インキ層（２２）のみしか視認できないので、セキュリテイ面で非常に有効なスクラッチ隠蔽層付情報媒体（１）である。
【００１７】
従って上記スクラッチ隠蔽層付情報媒体（１）は、従来のように基材（１０）を厚くしたり、図３に示すように基材（１０）の裏面に透かし防止層（２４）を設けたり、あるいはスクラッチ隠蔽層（２０）を２度刷りして厚くして得たりする必要のない、即ち製造コストの嵩まないスクラッチ隠蔽層付情報媒体（１）とすることができる。また機密情報データ（１２）のデザインに自由度を与え、デザイン効果のあるスクラッチ隠蔽層付情報媒体（１）とすることもできる。
【００１８】
以下に本発明のスクラッチ隠蔽層付情報媒体（１）を構成する各層の材料や形成方法について具体的に説明する。
まず基材（１）としては、例えばインスタント抽選券やゲームカードなどでは、アート紙、コート紙あるいは上質紙などの洋紙やコートボール、コートマニラ、両面カードなどの板紙、あるいは特殊証券用紙などが挙げられ、また有価証券としてのスクラッチカードなどでは、白色ＰＥＴ（ポリエチレンテレフタレート）、白色塩ビ（ポリ塩化ビニル）シートなどが挙げられ、適宜用途等に応じて選定される。
【００１９】
また、本発明のスクラッチ隠蔽層付情報媒体（１）を構成する易剥離層（１４）としては、例えばポリウレタンアクリル樹脂、ポリアミド樹脂、ニトロセルロース樹脂に添加剤としてシリコンやワックス（ポリエチレンワックス等）を５重量％以下添加したインキをスクリーン印刷法、グラビア印刷法あるいはアニロックスローラを介して印刷するフレキソ印刷法等で機密情報データ（１２）がネガパターンとなるような各印刷版を用いて印刷されて得られる。さらに例えば、紫外線硬化型オフセットインキのビヒクル（印刷インキの着色顔料を除いた成分）にシリコンやワックスなどを僅かに添加したＵＶ剥離ニスを用いて、オフセット印刷法にて機密情報データ（１２）がネガパターンとなるようなオフセット印刷版を用いた印刷で得ることもでき、特に薄い易剥離層（１４）とするには好適な材料である。
【００２０】
また、本発明のスクラッチ隠蔽層付情報媒体（１）を構成するスクラッチ隠蔽層（２０）としては、下記のスクラッチインキを用いて例えばスクリーン印刷法やグラビア印刷法あるいはアニロックスロールを介して印刷するフレキソ印刷法で上記易剥離層（１４）上に厚さ５〜１０μｍ程度に形成される。
【００２１】
上記のスクラッチインキの組成は、例えば隠蔽性を付与するためのアルミニウム粉１５〜２５重量部、アルミナ白等体質顔料を含めた着色顔料１５〜２５重量部、凝集破壊（団塊）性のあるＳＢＲ、ＮＢＲ等合成ゴム系樹脂１５〜２５重量部、さらにこれらにトルエンやキシレン、メチルイソブチルケトン等芳香族炭化水素系溶剤３５〜４５重量部と消泡剤等助剤５〜１５重量部を加えてスクリーン印刷用インキやグラビア印刷用インキあるいはフレキソ印刷用インキ用に調合するものである。
【００２２】
また、上記のようなスクラッチ隠蔽層（２０）用のインキに代わり、消防法や労働安全衛生法（有機溶剤中毒予防規則）あるいはＶＯＣ規制等環境上の規制等に優位な水性エマルジョンインキを用いて、グラビア印刷法、スクリーン印刷法あるいはフレキソ印刷法などで形成することもできる。そのインキの組成は、例えば隠蔽性とスクラッチ性を付与するためのアルミニウムペースト（アルミニウム微粉末を脂肪酸等で表面処理し、沸点の高いミネラルスピリットなどでペースト状としたもの）と着色顔料が２０〜４５重量部、バインダーとしてのポリウレタン系合成樹脂２５〜５０重量部、消泡剤等助剤１〜１０重量部を、１０〜３５重量部の水と５重量部未満のイソプロピルアルコール等低級アルコールに分散させたものが挙げられる。
【００２３】
【発明の効果】
本発明は以上の構成であるから、下記に示す如き効果がある。即ち、上に機密情報データが印刷されていて、その機密情報データを覆うように易剥離層が形成され、その易剥離層の上にスクラッチ隠蔽層が施されている印刷物とした場合に、強い光を当ててその反対面から透かして見ると機密情報データの陰影が透けて見える用紙からなる基材上に機密情報データと易剥離層が施され、その上に前記機密情報データを覆うようにして隠蔽するスクラッチ隠蔽層が施されているスクラッチ隠蔽層付情報媒体において、前記機密情報機密データは、オフセット等通常の印刷色インキ層と、１〜３μｍの薄い易剥離層の非画線部に押し込まれたスクラッチ隠蔽層とが合わされて形成されているので、裏面から強い光を与えて透かしてみても、機密情報データのうち、分割された通常の印刷色インキ層のみが見えるので、正確な機密情報データとして認識するのが困難で、さらに印刷中などにおけるオペレーター等にも機密情報データの一部である通常の印刷色インキ層のみしか視認できないので、セキュリテイ面で非常に有効なスクラッチ隠蔽層付情報媒体とすることができ、従来のように基材を厚くしたり、裏面に透かし防止層を設けたりあるいはスクラッチ隠蔽層を２度刷りなどで得たりする必要のない、即ち製造コストの嵩まないスクラッチ隠蔽層付情報媒体とすることができる。
【００２４】
さらに機密情報データを通常の印刷色インキ層と易剥離層の非画線部に押し込まれたスクラッチ隠蔽層とで形成するので、デザインに自由度を有する機密情報データとする効果がある。
【００２５】
従って本発明は、抽選券やゲームカード等の如く機密情報データをスクラッチ隠蔽層で隠蔽してあるスクラッチ隠蔽層付情報媒体であって、特に、セキュリティ面で有効なスクラッチ隠蔽層付情報媒体として、優れた実用上の効果を発揮する。
【図面の簡単な説明】
【図１】本発明のスクラッチ隠蔽層付情報媒体の一実施の形態を説明するもので、
（ａ）は、その積層断面で表した模式図であり、
（ｂ）は、その右半分がスクラッチオフされた正面図であり、
（ｃ）は、（ｂ）のＢ−Ｂ面断面図である。
【図２】従来のスクラッチ隠蔽層付情報媒体の一事例の形態を側断面で表した説明図である。
【図３】従来のスクラッチ隠蔽層付情報媒体の他の一事例の形態を側断面で表した説明図である。
【符号の説明】
１‥‥スクラッチ隠蔽層付情報媒体
１０‥‥基材
１２‥‥機密情報データ
１４‥‥易剥離層
１４ｂ‥‥易剥離層の非画線部
２０‥‥スクラッチ隠蔽層
２０ａ‥‥易剥離層の非画線部に入り込んだスクラッチ隠蔽層
２２‥‥通常の印刷色インキ層
２４‥‥透かし防止層
Ｄ‥‥易剥離層の厚さ
【図１】
0004140223.tif 000002
【図２】
0004140223.tif 000003
【図３】
0004140223.tif 000004